(57)【要約】      （修正有）【課題】タイルを建物の構造壁面に、整然と平滑な面となるように、しかも緩み、ガタ等が生じることなく、強固に固定するタイルの取付構造及びタイル取付け用調整スペーサ片を提供する。【解決手段】建物の構造壁面２に固定される取付板６と、タイル７の裏面１２に形成された係合溝８に係合して取り付けられるタイル取付具１１と、フック部１８と、を備えたタイル取付部材４を使用して、タイル７を建物の構造壁面２に固定してタイルの取付構造１を構成する。複数の取付板６は、取付板６を建物の構造壁面２にねじ３で締め付けて固定する際に、タイル取付け用調整スペーサ片５を弾性変形させて、取付板６と建物の構造壁面２の間の間隔を調整し、複数の取付板６の外面が均一となるように固定する。【選択図】図１
0003189683.tif 000002
【実用新案登録請求の範囲】
【請求項１】
建物の構造壁面にタイル取付け用調整スペーサ片を介して固定された複数の取付板と、タイルの裏面に形成された係合溝に係合してタイルに取り付けられたタイル取付具とを備え、タイル取付具が、取付板に引っ掛けられてタイルが建物の構造壁面に固定されて成るタイル取付構造であって、
タイル取付具は、タイルに取り付けられた板状の取付具本体と取付板に引っ掛けるフック部から成り、
取付具本体は、タイルの裏面に互いに上下方向に間隔をおいてタイルの横幅方向に伸びるように形成された上側係合溝と下側係合溝に、それぞれ係合する上側係合部と下側係合部とを有し、
複数の取付板は、取付板を建物の構造壁面に固定具で締め付けて固定する際に、タイル取付け用調整スペーサ片が弾性変形して、取付板と建物の構造壁面の間の間隔が調整され、複数の取付板の外面が均一に固定された構成であることを特徴とするタイルの取付構造。
【請求項２】
上側係合溝は、タイルの裏面から斜め上方に向け傾斜して深くなるように形成されており、
下側係合溝は、斜め上方に向け傾斜した傾斜上面と、水平下面と、下側係合溝の最奥部に位置する垂直面とを備え、断面が台形状に形成されており、
上側係合部は、タイルの上側係合溝と係合するように、取付具本体の上端部が斜め上方に向けて屈曲して形成された傾斜部から成り、 
下側係合部は、タイルの下側係合溝と係合するように、取付具本体の下端部が水平に屈曲して形成された水平部及び該水平部からさらに垂直に屈曲して形成された垂直部とから成ることを特徴とする請求項１に記載のタイルの取付構造。
【請求項３】
上側係合溝と下側係合溝は、それぞれタイルの裏面から斜め上方に向け傾斜して深くなるように形成されており、
上側係合部は、取付具本体の上端部が斜め上方に向けて屈曲して形成された傾斜片から成り、 
下側係合部は、取付具本体の下端部が、斜め上方に向けて折り返されて形成された折返し片から成り、
傾斜片又は折返し片は、取付具本体の上端部又は下端部が上下方向に切り込みが入れられ、さらに曲げられて複数形成されており、
複数の傾斜片又は折返し片は、その一部の片は、上側係合溝又は下側係合溝に沿うような係合用の片として形成されており、複数の片の残りの片は、上側係合溝又は下側係合溝に弾力的に当接するような角度で曲げられて弾接用の片として形成されている構成であることを特徴とする請求項１に記載のタイルの取付構造。
【請求項４】
タイル取付具を引っ掛けて建物の構造壁面に固定するための取付板と、建物の構造壁面との間に介装する弾性を有するタイル取付け用調整スペーサ片であって、
タイル取付け用調整スペーサ片は、取付板を建物の構造壁面に固定具で締め付けて固定する際に、弾性変形して取付板と建物の構造壁面の間の間隔を調整し、複数の取付板の外面を均一にするものであり、
タイル取付具は、タイルに係合して取り付けられる部材であり、タイルに取り付けられる板状の取付具本体と取付板に引っ掛けるフック部から成り、
取付具本体は、タイルの裏面に形成された係合溝に係合して取り付けられるものであり、タイルの裏面に互いに上下方向に間隔をおいてタイルの横幅方向に伸びるように形成された上側係合溝と下側係合溝に、それぞれ係合する上側係合部と下側係合部とを有するものであることを特徴とするタイル取付け用調整スペーサ片。
【請求項５】
上側係合溝は、タイルの裏面から斜め上方に向け傾斜して深くなるように形成されており、
下側係合溝は、斜め上方に向け傾斜した傾斜上面と、水平下面と、下側係合溝の最奥部に位置する垂直面とを備え、断面が台形状に形成されており、
上側係合部は、タイルの上側係合溝と係合するように、取付具本体の上端部が斜め上方に向けて屈曲して形成された傾斜部から成り、 
下側係合部は、タイルの下側係合溝と係合するように、取付具本体の下端部が水平に屈曲して形成された水平部及び該水平部からさらに垂直に屈曲して形成された垂直部とから成ることを特徴とする請求項４に記載のタイル取付け用調整スペーサ片。
【請求項６】
上側係合溝と下側係合溝は、それぞれタイルの裏面から斜め上方に向け傾斜して深くなるように形成されており、
上側係合部は、取付具本体の上端部が斜め上方に向けて屈曲して形成された傾斜片から成り、 
下側係合部は、取付具本体の下端部が、斜め上方に向けて折り返されて形成された折返し片から成り、
傾斜片又は折返し片は、取付具本体の上端部又は下端部が上下方向に切り込みが入れられ、さらに曲げられて複数形成されており、
複数の傾斜片又は折返し片は、その一部の片は、上側係合溝又は下側係合溝に沿うような係合用の片として形成されており、複数の片の残りの片は、上側係合溝又は下側係合溝に弾力的に当接するような角度で曲げられて弾接用の片として形成されている構成であることを特徴とする請求項４に記載のタイル取付け用調整スペーサ片。
【考案の詳細な説明】
【技術分野】
【０００１】
本考案は、建物のコンクリート等の構造壁面にタイルを取り付けたタイルの取付構造及び該取付構造に使用するタイル取付け用調整スペーサ片に関する。
【背景技術】
【０００２】
従来、タイルを、建物のコンクリート等の構造壁面に取り付ける取付手段として、通常は、タイルの裏面に溝を形成し、タイルの裏面と構造壁面との間に、タイルの裏面の溝内も含め、モルタル等の接着材料を充填し、タイルを構造壁面に接着することが行われていた（特許文献１参照）。
【０００３】
このような従来のタイルとコンクリート等の構造壁面の間にモルタル等を充填してタイルを構造壁面に接着して固定する手段は、モルタルの充填のための作業が必要であり、取付作業は必ずしも効率的ではない。
【０００４】
このような従来技術の問題を解決するために、本出願人は、建物の構造壁面にねじ等の固定具で固定された取付板と、タイルの裏面に形成された係合溝に係合して取り付けられるタイル取付具とによって、タイルが建物の構造壁面に固定して、タイルの取付構造を提案した（特許文献２、３参照）。
【先行技術文献】
【特許文献】
【０００５】
【特許文献１】特開２０１０−０１３８８７号公報
【特許文献２】特開２０１３−０９１９６７号公報
【特許文献３】特開２０１３−１２４４８８号公報
【考案の概要】
【考案が解決しようとする課題】
【０００６】
本出願人が提案した特許文献２、３に示すタイルの取付構造では、次のような問題がある。即ち、このような建物の構造壁面に、タイルを取付板を介して建物の構造壁面に取り付ける施工の際に、複数の取付板を直列して一直線状に水平に固定して、これら複数の取付板を介してタイルを取り付ける。
【０００７】
しかしながら、建物の構造壁面の表面は、必ずしも平滑面ではなく、通常、凹凸やうねりがある。このような凹凸やうねりがあると、隣接する取付板の端部が一直線上に整列せず、その結果、複数のタイルは、建物の構造壁面に整然と取り付けることができず、その表面に凹凸、緩み、ガタ等が生じてしまうという問題があった。
【０００８】
本考案は、上記従来の問題を解決することを目的とするものであり、タイルを建物の構造壁面に、簡単な作業で、整然と平滑な面となるように、しかも緩み、ガタ等が生じることなく、強固に固定することができるタイルの取付構造及び該取付構造に使用するタイル取付け用調整スペーサ片を実現することを課題とする。
【課題を解決するための手段】
【０００９】
本考案は上記課題を解決するために、建物の構造壁面にタイル取付け用調整スペーサ片を介して固定された複数の取付板と、タイルの裏面に形成された係合溝に係合してタイルに取り付けられたタイル取付具とを備え、タイル取付具が、取付板に引っ掛けられてタイルが建物の構造壁面に固定されて成るタイル取付構造であって、タイル取付具は、タイルに取り付けられた板状の取付具本体と取付板に引っ掛けるフック部から成り、取付具本体は、タイルの裏面に互いに上下方向に間隔をおいてタイルの横幅方向に伸びるように形成された上側係合溝と下側係合溝に、それぞれ係合する上側係合部と下側係合部とを有し、複数の取付板は、取付板を建物の構造壁面に固定具で締め付けて固定する際に、タイル取付け用調整スペーサ片が弾性変形して、取付板と建物の構造壁面の間の間隔が調整され、複数の取付板の外面が均一に固定された構成であることを特徴とするタイルの取付構造を提供する。
【００１０】
本考案は上記課題を解決するために、タイル取付具を引っ掛けて建物の構造壁面に固定するための取付板と建物の構造壁面との間に介装する弾性を有するタイル取付け用のタイル取付け用調整スペーサ片であって、タイル取付け用調整スペーサ片は、取付板を建物の構造壁面に固定具で締め付けて固定する際に、弾性変形して取付板と建物の構造壁面の間の間隔を調整し、複数の取付板の外面を均一にするものであり、タイル取付具は、タイルに係合して取り付けられる部材であり、タイルに取り付けられる板状の取付具本体と取付板に引っ掛けるフック部から成り、取付具本体は、タイルの裏面に形成された係合溝に係合して取り付けられるものであり、タイルの裏面に互いに上下方向に間隔をおいてタイルの横幅方向に伸びるように形成された上側係合溝と下側係合溝に、それぞれ係合する上側係合部と下側係合部とを有するものであることを特徴とするタイル取付け用調整スペーサ片を提供する。
【００１１】
上側係合溝は、タイルの裏面から斜め上方に向け傾斜して深くなるように形成されており、下側係合溝は、斜め上方に向け傾斜した傾斜上面と、水平下面と、下側係合溝の最奥部に位置する垂直面とを備え、断面が台形状に形成されており、上側係合部は、タイルの上側係合溝と係合するように、取付具本体の上端部が斜め上方に向けて屈曲して形成された傾斜部から成り、下側係合部は、タイルの下側係合溝と係合するように、取付具本体の下端部が水平に屈曲して形成された水平部及び該水平部からさらに垂直に屈曲して形成された垂直部とから成る構成としてもよい。
【００１２】
上側係合溝と下側係合溝は、それぞれタイルの裏面から斜め上方に向け傾斜して深くなるように形成されており、上側係合部は、取付具本体の上端部が斜め上方に向けて屈曲して形成された傾斜片から成り、下側係合部は、取付具本体の下端部が、斜め上方に向けて折り返されて形成された折返し片から成り、傾斜片又は折返し片は、取付具本体の上端部又は下端部が上下方向に切り込みが入れられ、さらに曲げられて複数形成されており、
複数の傾斜片又は折返し片は、その一部の片は、上側係合溝又は下側係合溝に沿うような係合用の片として形成されており、複数の片の残りの片は、上側係合溝又は下側係合溝に弾力的に当接するような角度で曲げられて弾接用の片として形成されている構成としてもよい。
【考案の効果】
【００１３】
本考案に係るタイルの取付構造及びタイル取付け用調整スペーサ片によれば、タイルに複雑な加工をすることなく、しかも高価な工具や部品等を使用することなく、簡単な作業で、容易にタイルを建物の構造壁面に、整然と平滑な面となるように、しかも緩み、ガタ等が生じることなく、強固に固定することができる。
【図面の簡単な説明】
【００１４】
【図１】本考案に係るタイルの取付構造及びタイル取付け用調整スペーサ片の実施例１を示す図であり、（ａ）はタイルの取付構造の全体構成を示し、（ｂ）は複数の係合溝を設けたタイルの裏面を説明する図である。
【図２】（ａ）及び（ｂ）は、上記実施例１の取付板の斜視図及び側面図である。
【図３】本考案に係るタイルの取付構造の実施例１のタイル取付具を示す図であり、（ａ）は構造壁面側から見た裏面図であり、（ｂ）側面図あり、（ｃ）及び（ｄ）は上記実施例１のタイル取付け用調整スペーサ片の正面図及び側面図を示す。
【図４】上記実施例１の作用を説明する図であり、（ａ）は構造壁面に取り付けた複数の取付板の正面図を示し、（ｂ）〜（ｄ）は構造壁面に取付板を取り付ける状態を示す。
【図５】本考案に係るタイルの取付構造及び該取付構造に使用するタイル取付け用調整スペーサ片の実施例２を示す図である。
【図６】上記実施例２のタイル取付具を示す図であり、（ａ）はタイル側から見た正面図であり、（ｂ）は側面図である。
【考案を実施するための形態】
【００１５】
本考案に係るタイルの取付構造及びタイル取付け用調整スペーサ片を実施するための形態を実施例に基づき図面を参照して、以下説明する。
【実施例】
【００１６】
（実施例１）               
本考案に係るタイルの取付構造及びタイル取付け用調整スペーサ片の実施例を図１〜図４で説明する。図１は、本考案に係るタイル取付構造の全体構成を説明する図である。タイルの取付構造１は、タイル７がタイル取付部材４によって、建物の構造壁面２に固定して取り付けられる取付構造である。
【００１７】
タイル取付部材４は、建物の構造壁面２に、タイル取付け用調整スペーサ片５を介装して、ねじ等の固定具（本実施例１では固定具としてねじを使用した例を説明する）３で固定された取付板６と、タイル７の裏面１２に形成された係合溝８に係合して取り付けられるタイル取付具１１と、を有する。
【００１８】
そして、タイル７の裏面１２に係合して取り付けられたタイル取付具１１を、取付板６に引っ掛けることで、タイル７が建物の構造壁面２に固定して、タイルの取付構造１が構成される。
【００１９】
取付板６は、図２（ａ）、（ｂ）に斜視図及び断面図を示すように、全体的には長尺状（例えば、長さが９１０ｍｍ）の板材から成り、その材料は、ステンレス等の金属材、樹脂材等が利用される。取付板６の下端には、上方に折り返された受け部１３が、取付板６の下縁に沿って形成されている。
【００２０】
取付板６は、その長手方向の中央部及び両端側に、それぞれ上下方向に若干長い長孔１６が形成されている。この長孔１６を通してねじ３が挿通されて、取付板６は建物の構造壁面２に固定される。なお、長孔１６の数及びその形成位置は、本実施例１では、取付板６に３つ形成しているが、取付板６の長さ等に応じて、適宜、設定すればよい。
【００２１】
タイル取付具１１は、１つのタイル７に対して、タイル７の面積、重量等に応じて、１又は複数設けられる。タイル取付具１１は、図３（ａ）、（ｂ）に正面図（建物の構造壁面側から見た図）及び側面図を示すが、タイル取付具本体１７とフック部１８から構成される。
【００２２】
タイル取付具本体１７は、図３（ａ）に示すように、全体の平面形状が矩形である。タイル取付具本体１７の上端部には、上側係合部２１が形成されている。上側係合部２１は、図３（ｂ）に示すように、タイル取付具７を起立した状態で、タイル側（フック部１８と反対側）の斜め上方に傾斜して伸びるように屈曲された傾斜部から成る。
【００２３】
タイル取付具本体１７の下端部には下側係合部２３が形成されている。下側係合部２３は、タイル取付具本体１７の垂直部２２に対してタイル側に９０°で屈曲された水平部と、水平部がさらに上方に９０°で屈曲された垂直部とから構成されている。
【００２４】
取付具１１のフック部１８は、図３（ｂ）に示すように、固定部３１、水平部３２及び垂直部３３から成り、全体形状は、正面視で矩形をしており、断面形状がクランク状に形成されている。
【００２５】
タイル取付具本体１７の正面に、フック部１８の固定部３１がスポット溶接で固定されている。図３（ａ）、（ｂ）において、３６はスポット溶接部を示す。このような固定手段としては、カシメやボルト等を使用してもよい。
【００２６】
フック部１８は、その横幅ｗ（フック部１８を正面視して横幅左右方向の長さ）をタイル取付具本体１７の横幅ｍより大きい。フック部１８をこのような構成とすると、フック部１８の垂直部１３は取付板６の受け部１３に横幅方向により長く受け入れられ、より強固に支持される。しかも、フック部１８の固定部３１は、タイル取付具本体１７の背面に横幅方向により長く受け当接する。
【００２７】
タイル７の裏面１２には、図１（ａ）に示すように、上側係合溝４２及び下側係合溝４３の組み合わせから成る係合溝８が形成されている。係合溝８は、図１（ｂ）に示すように、タイル７の横幅方向に伸びるように、しかもタイル７の大きさに応じて、１又は複数（図１（ｂ）に示す例では４つ）形成されている。
【００２８】
上側係合溝４２及び下側係合溝４３は、それぞれタイル取付具１１の上側係合部２１及び下側係合部２３に係合するように形成されている。
【００２９】
上側係合溝４２は、タイル７が建物の構造壁面２に垂直に固定された状態で、タイル取付具１１の上側係合部２１と同方向となるように、タイル７の裏面１２から斜め上方に向け傾斜して深くなるように形成されている。
【００３０】
下側係合溝４３は、斜め上方に向け傾斜した傾斜上面と、水平下面と、下側係合溝４３の最奥部に位置する垂直面とを備え、全体の断面形状が台形に形成されており、タイル取付具１１の下側係合部２３が下側係合溝４３に挿入されて係合可能となる。
【００３１】
本考案に係るタイルの取付構造においては、下側係合溝４３内にタイル取付具１１の下側係合部２３を挿入した後、図示はしないが、タイル取付具１１の下側にバネを配設して下方から弾圧する構成としてもよい。このバネとしては、板バネ、圧縮コイルバネ等を使用する。
【００３２】
タイル取付け用調整スペーサ片５は、弾性を有するステンレス等の材料で形成されており、平面形状及び断面形状を図３（ｃ）、（ｄ）に示すが、平坦な固定部４５と上下の傾斜部４６から一体に形成されている。固定部４５には、ねじ挿通孔４７が形成されており、傾斜部４６の下部には構造物の壁面２に沿うように少し垂直方向に折り返された当接部４８を有する。
【００３３】
以上の構成のタイルの取付部材４を使用してタイル７を建物の構造壁面２に取り付けるタイルの取付構造１について、その施工方法とともに説明する。
【００３４】
タイル７を建物の構造壁面２に取り付ける施工に際しては、まず、取付板６を建物の構造壁面２にねじ３で固定する。そのために、図４（ａ）に示すように、取付板６を構造壁面２に対して水平に配置し取り付ける際に、取付板６の複数の長孔１６のうち、構造壁面２の表面の状態を考慮して、適宜箇所に形成された長孔１６を選択して、その選択した長孔１６に対応した箇所で、タイル取付け用調整スペーサ片５を図４（ｂ）に示すように上下の当接部４８を構造壁面２に当接する。
【００３５】
なお、図４（ａ）において、第１の取付板６（６−１）では取付板６の左右端の長孔１６を選択したが、第２の取付板６（６−２）のように取付板６の全ての長孔１６を選択してもよい。構造壁面２の表面の凹凸が大きいときには、取付板６の複数の長孔１６の全てを選択して、凹凸を調整することが好ましい。        
【００３６】
そして、図４（ｂ）に示すようにタイル取付け用調整スペーサ片５の固定部５に取付板６の後面を当接して、ねじ３を長孔１６及びねじ挿通孔４７を通して構造壁面２にねじ３込む。
【００３７】
このようにして、ねじ３を構造壁面２にねじこみながら、タイル取付け用調整スペーサ片５の上下の傾斜部４６を弾性変形させて開いていき、図４（ｃ）に示すように、取付板６及び固定部４５が構造壁面２により接近した状態として固定する。
【００３８】
複数の取付板６は、図４（ａ）に示すように、構造壁面２に直列に一直線上整列するように取り付ける。これら複数の取付板６は、タイル７の取り付けられて成るタイル壁の表面に凹凸やうねりが生じないように、取付板６の外面が互いに整列して均一となるように構造壁面２に取り付けられる必要がある。
【００３９】
そのために、複数の取付板６は、それぞれ取付板６の固定部４５と構造壁面２との間に弾性を有するタイル取付け用調整スペーサ片５を介装し、ねじ３の締め具合によってタイル取付け用調整スペーサ片５の傾斜部４６を弾性変形の程度を調整して、取付板６の固定部４５と構造壁面２との間隔を調整し、複数の取付板６の外面が均一となるように固定する。
【００４０】
例えば、図４（ａ）において、第１の取付板６（６−１）と固定壁面の距離ｄ１（図４（ｃ）参照）と、第２の取付板６（６−２）と固定壁面の距離ｄ２（図４（ｄ）参照）が、ほぼ同じとなるように、ねじ３の締め具合で調整する。
【００４１】
そして、図１（ａ）に示すように、タイル取付具１１の上側係合部２１及び下側係合部２３を、それぞれタイル７の上側係合溝４２及び下側係合溝４３に係合する。この係合に際しては、タイル取付具１１の下側係合部２３を下側係合溝４３内に挿入してから、タイル取付具１１を上方にずらして上側係合部２１を上側係合溝４２に挿入する。
【００４２】
上側係合溝４２及び下側係合溝４３は斜め上方に傾斜して形成されているので、タイル７はその自重によって、タイル取付具１１の上側係合部２１及び下側係合部２３に対して、下方かつタイル取付具１１側に相対的にずれて移動する力が作用し、タイル７はタイル取付具１１側に押しつけられるようなり、しかも上側係合部２１及び下側係合部２３と上側係合溝４２及び下側係合溝４３の係合を確実にして、タイル７が建物の構造壁面２にから外れにくくなり、しっかりと取り付けられる。
【００４３】
なお、タイル取付具１１の上側係合部２１及び下側係合部２３を、それぞれタイル７の上側係合溝４２及び下側係合溝４３に係合してから、板バネ（図示せず）を下側係合部２３の水平部とタイル７の下側係合溝４３の水平下面との隙間に装着してもよい。すると、板バネによって、タイル取付具１１は上方に付勢され、タイル取付具１１はタイル７の係合溝８に確実に係合して取り付けられる。
【００４４】
（実施例２） 
本考案に係るタイルの取付構造及びタイル取付具の実施例２を図５及び図６で説明する。実施例２は、実施例１と略同じ構成であるが、タイル取付具本体の下側係合部及びこの下側係合部を係合させるタイル７の下側係合溝の構成が異なり、他は同じである。従って、異なる構成のみを説明する。実施例２において、実施例１と同じ構成部分については同じ符号を使用する。
【００４５】
実施例２では、タイル７の下側係合溝４４は、上側係合溝と同様に斜め上方に向けて形成されている。タイル取付具本体１７の下側係合部２６は、図６（ａ）、（ｂ）に示すように、全体的には、タイル取付具本体１７の垂直部２２に対して鋭角をもってフック状にタイル側上方に曲げられて折り返された複数の折返し片から構成されている。
【００４６】
本実施例２では下側係合部２６は、図６（ａ）、（ｂ）に示すように、タイル取付本体１７の下端部に下端から上方に向けて縦方向に切り込み２７が２本入れられ、さらにタイル側上方に曲げられて折り返されて形成された、左右の係合用折返し片２８と中央の弾接用折返し片２９の計３つの折返し片が形成されている。 
【００４７】
左右の係合用折返し片２８は、タイルの下側係合溝４４に沿うように下側係合溝４４の角度（例えば４５°）とほぼ同じ大きさの折返し角度で折り返されており、中央の弾接用折返し片２９は、左右の係合用折返し片２８の折返し角度より大きな折返し角度で折り返されている）。
【００４８】
このような構成によって、中央の弾接用折返し片２９はバネとしての機能を発揮し、タイル７の下側係合溝４４の下面に弾力的に当接して、タイル取付具本体１７を上方に弾力的に付勢し、タイル取付具本体１７の取付の安定性を良くするとともに、横幅方向のずれ止めとなる。
【００４９】
取付板６及びタイル取付け用調整スペーサ片５は、実施例１と同じであり、実施例１と同様に、取付板６の固定部４５と構造壁面２との間に弾性を有するタイル取付け用調整スペーサ片５を介装し、ねじ３の締め具合によってタイル取付け用調整スペーサ片５の傾斜部４６を弾性変形させて、取付板６の固定部４５と構造壁面２との間隔を調整し、複数の取付板６の外面が均一となるように固定する。
【００５０】
そして、タイル取付具１１の上側係合部２１及び下側係合部２６を、それぞれタイル７の上側係合溝４２及び下側係合溝４４に挿入して係合させる。すると、下側係合部２６の弾接用折返し片２９はバネとしての機能を発揮し、タイル７の下側係合溝４４の傾斜下面５２に弾力的にて当接して、タイル取付具本体１７を上方に向けて付勢する。
【００５１】
その結果、下側係合部２６の折返し片２８は、下側係合溝４４の傾斜上面５１に向けて付勢され、上側係合部２１は上側係合溝４２の傾斜上面５３に向けて付勢される。その結果、タイル取付具１１は、タイル７の係合溝８に確実に係合して取り付けられ、タイル取付具１１をタイル７の裏面１２から引きはがすように引いても取り外すことができなくなる。
【００５２】
なお、実施例２の変形例として、下側係合部２６は単に斜め上方にフック状に折り返され折返し片として形成されているだけで、切り込みは入れられていない構成として、上側係合部２１を、複数本の切り込みを入れ、さらにタイル側に向けて屈曲し、タイル側の斜め上方に向かうように形成し、折り返し角度の異なる複数の傾斜片から成る構成としてもよい。このような構成とすることで、上側係合部２１でタイル７の上側係合溝と弾力的に当接するようにしてもよい。
【００５３】
以上、本考案に係るタイルの取付構造及び該取付構造に使用するタイル取付け用調整スペーサ片を実施するための形態を実施例に基づいて説明したが、本考案はこのような実施例に限定されるものではなく、実用新案登録請求の範囲に記載された技術的事項の範囲内でいろいろな実施例があることは言うまでもない
【産業上の利用可能性】
【００５４】
上記構成の本考案に係るタイルの取付構造及びタイル取付け用調整スペーサ片は、建物の構造壁面に固定される各種のタイル、サイディングボード等の外装部材、屋根部材等の取付のためにも適用可能である。
【符号の説明】
【００５５】
１  タイルの取付構造                                
２  建物の構造壁面                                  
３  固定具（ねじ等）
４  タイル取付部材
５  タイル取付用調整スペーサ片                                
６  取付板                                          
７  タイル                                          
８  係合溝                                          
１１  タイル取付具                                  
１２  タイルの裏面                                  
１３  取付板の受け部                                
１６  取付板の長孔                                  
１７  タイル取付具本体                              
１８  タイル取付具のフック部                        
２１  タイル取付具本体の上側係合部                  
２２  タイル取付具本体の垂直部                      
２３  タイル取付具本体の下側係合部              
２６  タイル取付具本体の下側係合部                  
３１  フック部の固定部                              
３２  フック部の水平部                              
３３  フック部の垂直部                              
３６  スポット溶接部                                
４２  タイルの上側係合溝                            
４３  タイルの下側係合溝
４４  タイルの下側係合溝                          
４５  タイル取付用調整スペーサ片の固定部                      
４６  タイル取付用調整スペーサ片の傾斜部
４７  タイル取付用調整スペーサ片のねじ挿通孔                          
４８  タイル取付用調整スペーサ片の当接部
５１  下側係合溝の傾斜上面
５２  下側係合溝の傾斜下面
５３  上側係合溝の傾斜上面
【図１】
0003189683.tif 000003
【図２】
0003189683.tif 000004
【図３】
0003189683.tif 000005
【図４】
0003189683.tif 000006
【図５】
0003189683.tif 000007
【図６】
0003189683.tif 000008